(57)【要約】      （修正有）【課題】構造が簡単且つ合理的で、包装がコンパクトで、フレキシブルな操作性が得られ、運動が安定且つ確実で、トレーニング効果が良く、ブースティング機能付き家庭用ポータルフィットネスマシンを提供する。【解決手段】バックレストサポート３、台座４、クッション７を含み、クッションは台座に固定され、バックレストサポートと台座との間にはスプリング・ブースティング装置が設置され、当該装置は左右固定台座や、接続台座１１、左右ねじりばね、ヒンジ軸を含み、接続台座の中央には溝が設置され、両側にはスリーブが設置され、左右固定台座は対称的に台座後部の両側に固定され、接続台座は左右固定台座にヒンジ接続され、左右ねじればねは対称的に接続台座両側のスリーブに設置され、バックレストサポートの下部は接続台座の中央の溝と嵌め合うと同時に、ヒンジ軸にヒンジ接続され、接続台座の中央の溝の間には差込み１２が設置される。【選択図】図１
0003190045.tif 000002
【実用新案登録請求の範囲】
【請求項１】
バックレストサポート（３）と、台座（４）と、クッション（７）とを含み、クッション（７）は台座（４）に固定され、バックレストサポート（３）と台座（４）との間にはスプリングブースティング装置が設置され、当該スプリングブースティング装置は左右固定台座（１８）、接続台座（１１）、左右ねじりばね（１４）、ヒンジ軸（１５）を含み、接続台座（１１）の中央には溝口が設けられ、両側にはスリーブが設けられ、左右固定台座（１８）は台座（４）後部の両側の対照する位置に固定され、接続台座（１１）はヒンジ軸（１５）によって左右固定台座（１８）に接続され、左右ねじればね（１４）は対称的に接続台座（１１）両側のスリーブに設置され、ねじりばね（１４）の一端は接続台座（１１）のねじりばね固定孔に固定され、他端は台座（４）に固定され、バックレストサポート（３）の下部は接続台座（１１）の中央の溝と嵌め合うとともに、ヒンジ軸（１５）にヒンジ接続され、接続台座（１１）の中央の溝口にはバックレストサポート（３）が後ろに倒れるのを阻止する差込み（１２）が設置される、ことを特徴とするポータブルフィットネスマシン。
【請求項２】
前記台座（４）には、片方向に回転して折り畳みが可能なリア支持台（１３）がヒンジ接続される、ことを特徴とする請求項１に記載のポータブルフィットネスマシン。
【請求項３】
前記バックレストサポート（３）の上端には、高さの調節が可能な枕（１）が設置され、バックレストサポート（３）の両側には対称的に回転可能なコロジオン綿バックレスト（２）が設置される、ことを特徴とする請求項１又は請求項２に記載のポータブルフィットネスマシン。
【請求項４】
前記接続台座（１１）には、リミットブロック（１０）が設置され、台座（４）にはリミットブロック（１０）と対応するバックレストサポートのリミットロッドが設置される、ことを特徴とする請求項３に記載のポータブルフィットネスマシン。 
【請求項５】
前記接続台座（１１）には、台座（４）と固定接続されるケーシング（９）が設置される、ことを特徴とする請求項４に記載のポータブルフィットネスマシン。
【請求項６】
前記台座（４）には、ハンドル接続台座（５）が固定され、ハンドル接続台座（５）には対称的にリムーバブル左右ハンドル（６）が設置される、ことを特徴とする請求項１に記載のポータブルフィットネスマシン。
【請求項７】
前記台座（４）にはハンドル接続台座（５）が固定され、ハンドル接続台座（５）には対称的にリムーバブル左右ハンドル（６）が設置される、ことを特徴とする請求項５に記載のポータブルフィットネスマシン。
【請求項８】
前記ハンドル接続台座（５）はストレートパイプ構造であり、左右ハンドル（６）は対応するハンドル接続台座（５）の両端にスリーブ接続され、左右ハンドル（６）にはボールプランジャー（１６）が設置され、ハンドル接続台座（５）にはボールプランジャー（１６）とマッチングする調節孔（１７）が設置され、左右ハンドル（６）にはコロジオン綿カバー（８）が設置される、ことを特徴とする請求項６に記載のポータブルフィットネスマシン。
【請求項９】
前記ハンドル接続台座（５）はストレートパイプ構造であり、左右ハンドル（６）は対応するハンドル接続台座（５）の両端にスリーブ接続され、左右ハンドル（６）にはボールプランジャー（１６）が設置され、ハンドル接続台座（５）にはボールプランジャー（１６）とマッチングする調節孔（１７）が設置され、左右ハンドル（６）にはコロジオン綿カバー（８）が設置される、ことを特徴とする請求項７に記載のポータブルフィットネスマシン。
【請求項１０】
前記ハンドル接続台座（５）はＵ型パイプ構造であり、左右ハンドル（６）は対応するハンドル接続台座（５）の両側にスリーブ接続され、左右ハンドル（６）およびハンドル接続台座（５）には嵌め合い固定孔（２１）が設置され、Ｕ型ハンドル差込み（２０）を当該孔（２１）に挿し込んで固定接続し、左右ハンドル（６）にはコロジオン綿カバー（８）が設置される、ことを特徴とする請求項６に記載のポータブルフィットネスマシン。
【請求項１１】
前記ハンドル接続台座（５）はＵ型パイプ構造であり、左右ハンドル（６）は対応するハンドル接続台座（５）の両側にスリーブ接続され、左右ハンドル（６）およびハンドル接続台座（５）には嵌め合い固定孔（２１）が設置され、Ｕ型ハンドル差込み（２０）を当該孔（２１）に挿し込んで固定接続し、左右ハンドル（６）にはコロジオン綿カバー（８）が設置される、ことを特徴とする請求項７に記載のポータブルフィットネスマシン。
【考案の詳細な説明】
【技術分野】
【０００１】
本考案はフィットネス器材に関するもので、特に、主に腰部と腹筋の鍛えに使われるポータルフィットネスマシンに関するものである。
【背景技術】
【０００２】
目下、室内トレーニングのニーズを満たすために、様々なフィットネスマシンが続々と現れている。最も直接的で有効な方法としては腹部を鍛える方法であるが、既存の腹筋フィットネスマシンも体を鍛える目的に達成できるものの、次の欠点が存在する。その一は、構造が不合理的で、体積が大きいため、包装・輸送と格納に不便である。その二は、トレーンングの際、上下起伏が大きいため、かなり大きな力がないとやり遂げず、スプリングリセット構造がないため、体質の異なる使用者の需要を満たせることができず、体の弱い者が腹部を鍛えるにはなかなか難しく、なんとかやり遂げられたとしても、数量と時間が足りないため、腹部を鍛える効果が得られない。そのため、包装・輸送に便利で、格納体積が小さく、家庭での使用に便利で、値段が安く、適用範囲が広く、腰部と腹筋の鍛えに使えられる家庭用フィットネスマシンが必要となっている。
【考案の概要】
【考案が解決しようとする課題】
【０００３】
既存の腹筋フィットネスマシンに存在する上記欠点を克服するために、本実用新案は構造が簡単且つ合理的で、包装がコンパクトで、フレキシブルな操作性が得られ、運動が安定且つ確実で、トレーニング効果が良く、ブースティング機能付き家庭用ポータルフィットネスマシンを提供することを目的とする。
【課題を解決するための手段】
【０００４】
バックレストサポートや、台座、クッションを含み、クッションは台座に固定され、前記バックレストサポートと台座との間にはスプリング・ブースティング装置が設置され、当該装置は左右固定台座や、接続台座、左右ねじりばね、ヒンジ軸を含み、接続台座の中央には溝が設置され、両側にはスリーブが設置され、左右固定台座は対称的に台座後部の両側に固定され、接続台座はヒンジ軸によって左右固定台座に接続され、左右ねじればねは対称的に接続台座両側のスリーブに設置され、ねじりばねの一端は接続台座のねじりばね固定孔に固定され、他端は台座に固定され、バックレストサポートの下部は接続台座の中央の溝と嵌め合うと同時に、ヒンジ軸にヒンジ接続され、接続台座の中央の溝の間にはバックレストサポートが後ろに倒れるのを阻止する差込みが設置される。
【０００５】
前記台座には片方向に回転して折り畳みが可能なリア支持台がヒンジ接続される。
【０００６】
前記バックレストサポートの上端には高さの調節が可能な枕が設置され、バックレストサポートの両側には対称的に回転可能なコロジオン綿バックレストが設置される。
【０００７】
前記接続台座にはリミットブロックが設置され、台座にはリミットブロックと対応するバックレストサポートのリミットロッドが設置される。
【０００８】
前記接続台座には台座と固定接続されるケーシングが設置される。
【０００９】
前記台座にはハンドル接続台座が固定され、ハンドル接続台座には対称的にリムーバブル左右ハンドルが設置される。
【００１０】
前記ハンドル接続台座はストレートパイプ構造で、左右ハンドルに対応するハンドル接続台座の両端にスリーブ接続され、左右ハンドルにはボールプランジャー が設置され、ハンドル接続台座にはボールプランジャーとマッチングする調節孔が設置され、左右ハンドルにはコロジオン綿カバーが設置される。
【００１１】
前記ハンドル接続台座はＵ型パイプ構造で、左右ハンドルに対応するハンドル接続台座の両側にスリーブ接続され、左右ハンドルおよびハンドル接続台座には嵌め合い固定孔が設置され、Ｕ型ハンドル差込みを当該孔に挿し込んで固定接続し、左右ハンドルにはコロジオン綿カバーが設置される。
【考案の効果】
【００１２】
（１）トレーンングの際は、人がクッションに座り、両足を平行に伸ばすか或いは曲げ、両手でハンドルを握り、バックレストサポート上のコロジオン綿バックレストと枕が使用者の体にしっかりとくっ付くように運動をし、後ろに倒れる時には、後ろに力を入れてバックレストサポートと共に仰け様運動をし、左右ねじりばねはダンピング役割をする。起きる時には、左右ねじりばねはブースティング役割をし、体力が異なる使用者のニーズをより良く満たすことができ、体を鍛える効果に達成でき、枕の高さを調節することによって身長が異なる使用者のニーズを満たすことができ、椎間板 ヘルニアや頚椎症の関節疾患に対して優れた補助治療効果がある。
【００１３】
（２）枕とバックレストサポートは互いに嵌め込み接続となり、バックレストサポートと接続台座はヒンジ接続され、左右ハンドルはリムーバブルにハンドルの接続台座に接続されるので、製品を取り外して折り畳んだ後は、コンパクトになり、製品の包装や、輸送、格納が便利になる。
【００１４】
（３）構造が簡単で、フレキシブルな操作性が得られ、子供にも老人にも最適で、コストが低くて、一般消費者も引き受けられるので、普及し易い。
【図面の簡単な説明】
【００１５】
【図１】本実用新案の実施例１の立体構造模式図である。
【図２】本実用新案の実施例１の分解構造模式図である。
【図３】本実用新案の実施例２の立体構造模式図である。
【図４】本実用新案の実施例２の分解構造模式図である。
【考案を実施するための形態】
【実施例１】
【００１６】
図１と図２のとおり、本実用新案は、バックレストサポート３や、台座４、クッション７を含み、クッション７は台座４に固定され、バックレストサポート３の上端には固定つまみ１９によって高さが調節できる枕１が設置され、バックレストサポート３の両側には対称的に回転できるコロジオン綿バックレスト２が設置され、前記バックレストサポート３と台座４との間にはスプリング・ブースティング装置が設置され、当該装置は左右固定台座１８や、接続台座１１、左右ねじりばね１４、ヒンジ軸１５を含み、接続台座１１の中央には溝が設置され、両側にはスリーブが設置され、左右固定台座１８は対称的に台座４後部の両側に固定され、接続台座１１はヒンジ軸１５によって左右固定台座１８に接続され、左右ねじればね１４は対称的に接続台座１１両側のスリーブに設置され、ねじりばね１４の一端は接続台座１１のねじりばね固定孔に固定され、他端は台座４に固定され、バックレストサポート３の下部は接続台座１１の中央の溝と嵌め合うと同時に、ヒンジ軸１５に接続され、接続台座１１の中央の溝の間にはバックレストサポート３が後ろに倒れるのを阻止する差込み１２が設置され、差込み１２を抜き出し、バックレストサポート３を平らにして、腹筋を鍛える用途に使用することができ、台座４を裏面に折り畳んで、包装体積をコンパクトにすることもできる、ポータブルフィットネスマシンである。
【００１７】
包装体積をコンパクトにし、運動を穏やかにするために、前記台座４には片方向に回転して折り畳みが可能なリア支持台１３がヒンジ接続される。トレーニングと包装・取り外しの便宜を図って、前記台座４にはハンドル接続台座5が固定され、ハンドル接続台座５には対称的にリムーバル左右ハンドル６が設置され、前記ハンドル接続台座５はストレートパイプ構造で、左右ハンドル６に対応するハンドル接続台座５の両端にスリーブ接続され、左右ハンドル６にはボールプランジャー１６ が設置され、ハンドル接続台座５にはボールプランジャー１６とマッチングする調節孔１７が設置され、左右ハンドル６にはコロジオン綿カバー８が設置される。
【００１８】
バックレストサポート３が左右ねじりばね１４の作用によって前に傾けないように、前記接続台座１１にはリミットブロック１０が設置され、台座4にはリミットブロック１０と対応するバックレストサポートのリミットロッドが設置される。トレーニングの際、手や衣類が挟まらないように、前記接続台座１１には台座４と固定接続されるケーシング９が設置される。
【実施例２】
【００１９】
図３と図４のとおり、実施例１と実施例２との相違点としては、前記ハンドル接続台座５はＵ型パイプ構造で、左右ハンドル６に対応するハンドル接続台座５の両側にスリーブ接続され、左右ハンドル６およびハンドル接続台座５には嵌め合い固定孔２１が設置され、Ｕ型ハンドル差込み２０を当該固定孔（２１）に挿し込んで固定接続し、左右ハンドル６にはコロジオン綿カバー８が設置されることと、リア支持台１３の形状が半包囲構造であるということである。
【図１】
0003190045.tif 000003
【図２】
0003190045.tif 000004
【図３】
0003190045.tif 000005
【図４】
0003190045.tif 000006